(57)【要約】【課題】暗くても遠方から幅広部材の存在を直感的に確認できるようにし、より安全性の高い農作業機を提供する。暗くてもエプロンが折り畳まれているか広がっているかを遠方から確認できるようにすることで、より安全性や利便性が高い農作業機を提供する。文字が浮き上がるためデザイン性が向上し、より使用する意欲が湧く農作業機を提供する。【解決手段】走行機体に連結される農作業機であって、展開状態から折り畳んだ状態への折り畳みが可能であり前記展開状態において前記走行機体の横幅よりも幅広となる作業部を有し、前記作業部の両端を含む所定の位置に、高反射領域と前記高反射領域よりも反射率の低い低反射領域とを有する光反射材を接着した農作業機が提供される。【選択図】図３
2017012030.tif 000002
【特許請求の範囲】
【請求項１】
走行機体に連結される農作業機であって、
展開状態から折り畳んだ状態への折り畳みが可能であり前記展開状態において前記走行機体の横幅よりも幅広となる作業部を有し、
前記作業部の両端を含む所定の位置に、
高反射領域と前記高反射領域よりも反射率の低い低反射領域とを有する光反射材を接着した農作業機。
【請求項２】
前記高反射領域は、粘着層と反射層と透明層とを有し、
前記低反射領域は、粘着層と反射層と不透明層と透明層とを有する
請求項１に記載の農作業機。
【請求項３】
前記低反射領域の透明層の色は、農作業機の貼付される箇所の色と同一である請求項１又は２に記載の農作業機。
【請求項４】
前記高反射領域が、文字、絵柄又はマークを形成している請求項１乃至３のいずれか一に記載の農作業機。
【請求項５】
前記高反射領域が前記形成する領域が、前記作業部の左右で、作業機の中心を対称軸として、略線対称である請求項４に記載の農作業機。
【請求項６】
前記高反射領域は、２以上の色で形成されている請求項４又は５に記載の農作業機。
【請求項７】
前記作業部は、整地板である請求項１乃至６のいずれか一に記載の農作業機。
【発明の詳細な説明】
【技術分野】
【０００１】
本発明は農作業機に関する。特に、後方からの視認性が向上した農作業機に関する。
【背景技術】
【０００２】
トラクタ等の走行機体に連結して牽引される農作業機には、幅広な展開状態と、折り畳み状態とを変化させることのできる農作業機がある。本来、このような折り畳み可能な農作業機は、圃場間の移動時等は、折り畳んでトラクタによって牽引されて走行するものである。
【０００３】
もっとも、いちいち折り畳むのが面倒であること等の理由から、作業者が圃場間の移動時等に農作業機のエプロン等を広げたまま走行するということがある。このような幅広な展開状態で移動すると、とくに夜間などにおいて、後続車両にとって危険が生じうるため、より安全な農作業機が望まれる。
【０００４】
また、夜間などにおいて従来は後方からは、前方に走行または停車している作業機が広がっているのか、畳まれているのか直接視認することが難しいという問題があった。
【０００５】
そのほか、夜間などにおいて、離れた場所から農作業機の畳み忘れがあるかどうか確認することが難しいという問題もあった。
【０００６】
ここで、農作業機の作業上の要注意部や移動上の位置確認部等の所定位置に、表面部に反射面を形成し、この反射面に危険性や注意を促す等の情報を告知する告知標識を表示するステッカーを張り付けた農作業機がある（特許文献１）。
【０００７】
しかし、かかる発明は安全標識ステッカーと反射ステッカーを兼用にするというものであり、折り畳みが可能な幅広農作業機の横幅に着目したものではない。
【０００８】
また、特許文献１が開示するのは、ステッカーであり、これを単に要注意部や移動上の位置確認部に貼りつけても、後方から見ても農作業機の大きさを把握することはできない。また、特許文献１のステッカーに注意を喚起する文字が記載されていても、夜間などはかなり近づかなければ記載を確認することができない。
【先行技術文献】
【特許文献】
【０００９】
【特許文献１】特開平１０−２０７９０号公報
【発明の概要】
【発明が解決しようとする課題】
【００１０】
本発明の目的の一は、暗くても遠方から幅広部材の存在を直感的に確認できるようにし、より安全性の高い農作業機を提供することにある。また、本発明の目的の一は、暗くてもエプロンが折り畳まれているか広がっているかを遠方から確認できるようにすることで、より安全性や利便性が高い農作業機を提供することにある。文字が浮き上がるためデザイン性が向上し、より使用する意欲が湧く農作業機を提供することにある。
【課題を解決するための手段】
【００１１】
本発明の一実施形態において、走行機体に連結される農作業機であって、展開状態から折り畳んだ状態への折り畳みが可能であり前記展開状態において前記走行機体の横幅よりも幅広となる作業部を有し、前記作業部の両端を含む所定の位置に、高反射領域と前記高反射領域よりも反射率の低い低反射領域とを有する光反射材を接着した農作業機、が提供される。
【００１２】
本発明の一実施形態において前記高反射領域は、粘着層と反射層と透明層とを有し、前記低反射領域は、粘着層と反射層と不透明層と透明層とを有していてもよい。
【００１３】
本発明の一実施形態において、前記低反射領域の透明層の色は、農作業機の貼付される箇所の色と同一であってもよい。
【００１４】
本発明の一実施形態において前記高反射領域が、文字、絵柄又はマークを形成していてもよい。
【００１５】
前記高反射領域が形成する領域が、前記作業部の左右で、作業機の中心を対称軸として略線対称であってもよい。
【００１６】
前記高反射領域は、２以上の色で形成されていてもよい。
【００１７】
本発明の一実施形態において、前記所定の位置は、中央整地板と左右整地板とであってもよい。
【発明の効果】
【００１８】
幅広の部材に反射材を貼付することで、暗くても遠方から光の反射によって幅広部材の存在を直感的に確認でき安全性が向上した農作業機を提供することができる。
【００１９】
エプロン部分に貼ることによって、暗くてもエプロンが折りたたまれているか広がっているかを遠方から確認でき、安全性・利便性が向上した農作業機を提供することができる。
【００２０】
文字が浮き上がるためデザイン性が向上し、より使用する意欲が湧く農作業機を提供することができる。
【図面の簡単な説明】
【００２１】
【図１】本発明の一実施形態に係る農作業機の構成図である。
【図２】本発明の一実施形態に係る農作業機の構成図である。
【図３】本発明の一実施形態に係る農作業機の構成図である。
【図４】本発明の一実施例に係る農作業機の写真である。
【発明を実施するための形態】
【００２２】
本発明者らは、上述の課題に鑑み、本発明に係る農作業機を発明するに至った。そこで、以下、本発明の一実施形態に係る農作業機について、図面を参照しながら詳細に説明する。但し、本発明の作業機は多くの異なる態様で実施することが可能であり、以下に示す実施の形態の記載内容に限定して解釈されるものではない。また、図面の寸法比率は説明の都合上実際の比率とは異なったり、構成の一部が図面から省略されたりする場合がある。本実施の形態で参照する図面において、同一部分または同様な機能を有する部分には同一の符号を付し、その繰り返しの説明は省略する。
【００２３】
（実施形態１）
図１および図２を参照して、本発明の一実施形態に係る農作業機を説明する。まず、図１の農作業機１０は、走行機体の後部に装着され、耕耘ロータを回転させながら走行機体の前進走行に伴って進行して圃場を耕耘する耕耘作業機である。
【００２４】
この耕耘作業機１０は、トラクタのタイヤＴの間隔Ｗよりやや作業幅の広い中央部分５と左右の作業機部分６Ｌ，６Ｒとに３分割され、中央部分５の左右の端部と左右の作業機部分６Ｌ，６Ｒの内端部とをそれぞれ回転軸によりほぼ１８０°回転可能に連結し、中央部分５の背面と左右の作業機部分６Ｌ，６Ｒの背面とを重ね合わせるようにして折り畳み可能としている。図１に示されるように、中央部分５の長さに対し左右の作業機部分６Ｌ，６Ｒの長さをほぼ２分の１としている。作業機部分６Ｌ，６Ｒは左右対称であり、ほぼ同じ構成を有している。農作業機１０では、作業機部分６Ｌ，６Ｒの部分が、作業部の幅広の部材に相当する。
【００２５】
このような耕耘作業機は、作業状態において走行機体の横幅よりも幅広となり、折り畳むことが可能となっている。すなわち、作業時には展開することによってトラクタの幅以上の作業部を確保することができ（以下、展開した状態を展開状態と称す）、他方、折り畳みを可能とすることで圃場間の移動時等に小型化して移動がしやすくなっている。もちろん、折り畳んだ状態で作業をすることも可能である。図２は折り畳んだ状態の耕耘作業機を示したものである。
【００２６】
本実施形態では、幅広の部材の両端を含む部分に、反射材を左右略線対称となるように貼付する。反射材を幅広の部材の両端を含む部分に貼付することで、作業機がどの程度の幅を有するものであるかを判別可能である。
【００２７】
幅広の部材の両端を含む部分について、最低限作業機が展開状態にあることが分かる程度の位置に貼付されている必要があるが、必ずしも点としての両端を含まなければならないものではない。
【００２８】
略線対称である必要はないが、略線対称とすることで、デザイン性が向上する。デザイン性が向上することで、農作業機はより魅力的になり、操作する意欲が湧く農作業機となる。なお、略線対称としたのは、たとえば反射材が文字を含む場合等には、完全な線対称とすると判読できないためである。
【００２９】
反射材は断片的に貼るのではなく、幅広の部材の両端を含むように連続的に貼付することが望ましい。このようにすることで、背後から見た場合に直感的に「幅広の部材が存在する」との印象を与えることができる。とくに、本実施形態では、後述の高反射領域が光を反射して浮き上がることと相まって、直感的に幅広の部材が存在することを理解させることができる。
【００３０】
他方、長方形のような形状の、いわゆるステッカーを断片的に貼付したような場合には、背後から見た場合に幅広の部材なのか、複数の車両なのか等を判別することができない。また、いわゆるステッカーを断片的に貼付したような場合であって、ステッカーに文字が記載されている場合には、かなり近づかなければ記載を確認することができない。
【００３１】
図３は、耕耘作業機１０における幅広の部材であるエプロン部材に対して貼付が望ましい位置である貼付位置８Ｒ及び貼付位置８Ｌとを示したものである。
【００３２】
本実施形態で使用する反射材は、合成樹脂フィルム等の変形自在な素材で形成可能であるから、幅広の部材が曲率を有していても貼り付けることが可能である。所定位置の形態に容易に沿わせてそれぞれ確実に接着することができる。たとえば、幅広の部材である中央エプロンと左右エプロンとに接着することもできる。
【００３３】
本実施形態で使用する反射材は、高反射領域と、高反射領域よりも反射率の低い低反射領域がある。高反射領域は光に照らされると反射して浮き上がって見えることから、文字、図形、パターン等の箇所を高反射領域とすることで、該文字、図形、パターン等を浮き上がらせて見せることが可能となる。
【００３４】
高反射領域と低反射領域とでは、断面構造に差異がある。高反射領域の断面構造は、粘着層と反射層と透明層とを有する構造である。低反射領域の断面構造は、粘着層と反射層と不透明層と透明層とを有する構造である。低反射領域では不透明層を介在することによって、光が反射しにくくなっている。
【００３５】
ここで、粘着層は、一般的な粘着性の物質を使用することができる。たとえば、ゴム系、アクリル系、シリコン系、ウレタン系、ポリアミド系、ポリエステル系の粘着剤を使用できる。反射層としては、レンズ又はガラスビーズを含有する樹脂、又はプリズム等を用いることができる。不透明層としては、各種の不透明な印刷塗料を使用することができる。透明層としては、ポリエチレンテレフタレート（ＰＥＴ）、ポリプロピレン（ＰＰ）等を用いることができる。その他、耐久性を挙げる等のため、透明層の上にフィルム層などを使用してもよい。たとえば、ポリエチレンテレフタレート（ＰＥＴ）、ポリプロピレン（ＰＰ）等を用いることができる。
【００３６】
そして、低反射領域の透明層の色は、農作業機の所定の箇所の色（たとえば、貼付される箇所の色、本体色等）と同一であってもよい。貼付される箇所の色と同一であることによって、低反射領域が本体色と同化して目立たなくなり、より一層高反射領域を目立たせることができる。たとえば、本体色に赤色系の色彩を用いた場合には、低反射領域を赤色系として、高反射領域に白色を用いるとことで、高反射領域の白色を目立たせることができる。
【００３７】
このほか、高反射領域には、異なる２色以上の色を使用することができる。たとえば、高反射領域として青色と白色とを用いることで、本体および低反射領域の赤に対して青色と白色とを浮き上がらせて見せることが可能である。
【００３８】
幅広の部材に反射材を貼付することで、暗くても遠方から光の反射によって幅広部材の存在を直感的に確認でき安全性を向上させることができる。
【００３９】
整地板部分に貼ることによって、暗くても耕耘作業機が折りたたまれているか広がっているかを遠方から確認でき、安全性・利便性を向上させることができる。
【００４０】
文字が浮き上がるためデザイン性が向上し使用する意欲を向上させることができる。
【００４１】
（実施例１）
図４（ａ）（ｂ）は、本発明の一実施例に係る耕耘作業機の写真である。図４では耕耘作業機の領域を白い枠線で囲ってある。図４の写真から、本実施例において、夜間でもライトを照らすことで視認することができることが分かった。またこの際、遠方から展開状態なのか折り畳んだ状態なのかを判別することができた。また、暗闇において浮き上がる文字のデザイン性が向上することが分かった。
【００４２】
したがって、本発明によれば、幅広の部材に反射材を貼付することで、暗くても遠方から光の反射によって幅広部材の存在を直感的に確認でき安全性が向上することができる。また、本発明によれば、整地板部分に貼ることによって、暗くても農作業機が折りたたまれているか広がっているかを遠方から確認でき、安全性・利便性が向上する。また、本発明によれば、文字が浮き上がるためデザイン性が向上する。
【図１】
2017012030.tif 000003
【図２】
2017012030.tif 000004
【図３】
2017012030.tif 000005
【図４】
2017012030.tif 000006